(57)【要約】【課題】エプロンの下端と洗い場の床部との間の止水性を確保しつつ、エプロンを床部に固定できるようにする。【解決手段】浴槽のエプロンと床部の固定構造Ｓ１は、浴室１４の洗い場１２の床を形成し、隣接する浴槽１０側の端縁を立ち上げて形成される堤防部２４と、堤防部２４の頂面２６の浴槽１０側の端縁を更に立ち上げて形成される段差部２８、とを備える床部１６と、浴槽１０の洗い場１２側の少なくとも一部を被覆可能とされ、下端３６が段差部２８の堤防部２４側に沿うエプロン本体部３４を備えるエプロン１８と、下端３６と堤防部２４との間を止水する止水部材２０と、エプロン本体部３４の浴槽１０側に取り付けられると共に段差部２８に載置され、かつ段差部２８の浴槽１０側の端縁に沿う係合部４０を備える固定部材２２と、を有する。【選択図】図２
2018029650.tif 000002
【特許請求の範囲】
【請求項１】
浴室の洗い場の床を形成し、隣接する浴槽側の端縁を立ち上げて形成される堤防部と、前記堤防部の頂面の前記浴槽側の端縁を更に立ち上げて形成される段差部、とを備える床部と、
前記浴槽の前記洗い場側の少なくとも一部を被覆可能とされ、下端が前記段差部の前記堤防部側に沿うエプロン本体部を備えるエプロンと、
前記下端と前記堤防部との間を止水する止水部材と、
前記エプロン本体部の前記浴槽側に取り付けられると共に前記段差部に載置され、かつ前記段差部の前記浴槽側の端縁に沿う係合部を備える固定部材と、
を有する浴槽のエプロンと床部の固定構造。
【請求項２】
前記エプロン本体部の前記下端から水平方向に延在して、前記堤防部に載置されるエプロン載置部を有し、
前記止水部材は、前記エプロン載置部と、前記堤防部の間に設けられる、請求項１に記載の浴槽のエプロンと床部の固定構造。
【請求項３】
前記固定部材は、前記エプロン本体部の水平方向の延在方向に亘って延在し、前記エプロン本体部よりも高剛性とされる、請求項１又は請求項２に記載の浴槽のエプロンと床部の固定構造。
【請求項４】
前記エプロン本体部と前記段差部との間、又は前記係合部と前記段差部との間に間隙が形成される、請求項１〜請求項３の何れか１項に記載の浴槽のエプロンと床部の固定構造。
【発明の詳細な説明】
【技術分野】
【０００１】
本発明は、浴槽のエプロンと床部の固定構造に関する。
【背景技術】
【０００２】
浴槽の洗い場側に設けられるエプロンの下端が、洗い場の床部の端縁に設けられた堤防部に対して、取付具を介して固定される構造が開示されている（特許文献１参照）。
【先行技術文献】
【特許文献】
【０００３】
【特許文献１】実開平２−９８７８６号公報
【発明の概要】
【発明が解決しようとする課題】
【０００４】
しかしながら、上記した従来例では、エプロンの下端と床部の堤防部との間に取付具が介在しており、エプロンの下端と堤防部との間を直接止水することができない。
【０００５】
本発明は、エプロンの下端と洗い場の床部との間の止水性を確保しつつ、エプロンを床部に固定できるようにすることを目的とする。
【課題を解決するための手段】
【０００６】
第１の態様に係る浴槽のエプロンと床部の固定構造は、浴室の洗い場の床を形成し、隣接する浴槽側の端縁を立ち上げて形成される堤防部と、前記堤防部の頂面の前記浴槽側の端縁を更に立ち上げて形成される段差部、とを備える床部と、前記浴槽の前記洗い場側の少なくとも一部を被覆可能とされ、下端が前記段差部の前記堤防部側に沿うエプロン本体部を備えるエプロンと、前記下端と前記堤防部との間を止水する止水部材と、前記エプロン本体部の前記浴槽側に取り付けられると共に前記段差部に載置され、かつ前記段差部の前記浴槽側の端縁に沿う係合部を備える固定部材と、を有する。
【０００７】
この浴槽のエプロンと床部の固定構造では、洗い場の床部に、堤防部と、該堤防部から更に立ち上げて形成される段差部とを備えている。エプロンの下端は段差部の堤防部側に沿い、固定部材の係合部は段差部の浴槽側に沿っている。洗い場側と浴槽側とを結ぶ方向において、エプロンの下端と固定部材の係合部とにより段差部を挟むことで、エプロンが床部に固定される。また、エプロンの下端と堤防部との間が止水部材により止水されるので、エプロンの下端と床部との間の止水性が確保される。
【０００８】
第２の態様は、第１の態様に係る浴槽のエプロンと床部の固定構造において、前記エプロン本体部の前記下端から水平方向に延在して、前記堤防部に載置されるエプロン載置部を有し、前記止水部材は、前記エプロン載置部と、前記堤防部の間に設けられる。
【０００９】
この浴槽のエプロンと床部の固定構造では、エプロン本体部の下端から水平方向に延在するエプロン載置部が堤防部に載置され、エプロン載置部と堤防部の間に止水部材が設けられるので、止水範囲が増大し、止水性が向上する。また、エプロン載置部を設けることにより、エプロンの反りを抑制することができる。
【００１０】
第３の態様は、第１の態様又は第２の態様に係る浴槽のエプロンと床部の固定構造において、前記固定部材が前記エプロン本体部の水平方向の延在方向に亘って延在し、前記エプロン本体部よりも高剛性とされる。
【００１１】
この浴槽のエプロンと床部の固定構造では、エプロン本体部よりも高剛性の固定部材が、エプロン本体部の水平方向の延在方向に亘って延在しているので、エプロンの反りを更に抑制することができる。
【００１２】
第４の態様は、第１〜第３の態様の何れか１態様に係る浴槽のエプロンと床部の固定構造において、前記エプロン本体部と前記段差部との間、又は前記係合部と前記段差部との間に間隙が形成される。
【００１３】
この浴槽のエプロンと床部の固定構造では、エプロン本体部と段差部との間、又は係合部と段差部との間に形成される間隙によってエプロンの反りが許容されるため、エプロンを床部に固定することが容易になる。
【発明の効果】
【００１４】
本発明に係る浴槽のエプロンと床部の固定構造によれば、エプロンの下端と洗い場の床部との間の止水性を確保しつつ、エプロンを床部に固定できる。
【図面の簡単な説明】
【００１５】
【図１】第１実施形態に係るエプロンと床部の固定構造を示す断面図である。
【図２】第１実施形態に係るエプロンと床部の固定構造を示す要部断面図である。
【図３】第１実施形態に係るエプロンと床部の固定構造の組立工程を要部断面図である。
【図４】第２実施形態に係るエプロンと床部の固定構造を示す要部断面図である。
【図５】第３実施形態に係るエプロンと床部の固定構造を示す要部断面図である。
【発明を実施するための形態】
【００１６】
以下、本発明を実施するための形態を図面に基づき説明する。
【００１７】
［第１実施形態］
図１から図３において、本実施形態に係る浴槽のエプロンと床部の固定構造Ｓ１は、例えば浴槽１０と洗い場１２とを備えた浴室１４等のユニットルームに用いられる。この浴槽のエプロンと床部の固定構造Ｓ１は、床部１６と、エプロン１８と、止水部材２０と、固定部材２２と、を有している。
【００１８】
床部１６は、浴室１４の洗い場１２の床を形成する、例えば樹脂パネルである。床部１６は、隣接する浴槽１０側の端縁を立ち上げて形成される堤防部２４と、堤防部２４の頂面２６の浴槽１０側の端縁を更に立ち上げて形成される段差部２８、とを備えている。堤防部２４は、床部１６を流れる水がエプロン１８に到達することを抑制するための堰部である。堤防部２４及び段差部２８は、浴槽１０の水平方向の延在方向（紙面と垂直な方向）に沿って長尺状に延びている。堤防部２４の頂面２６は、例えば水平となる平面状に形成されている。頂面２６の幅は、後述するエプロン載置部３８の幅以上とされている。
【００１９】
段差部２８の頂面は、例えば水平となる平面状に形成されている。段差部２８の洗い場側の側面３０は、堤防部２４の頂面２６の浴槽１０側の端縁から垂直に立ち上がって形成されている。段差部２８の浴槽１０側の側面３２は、段差部２８の頂面の浴槽１０側の端縁から下方に延びて終端している。側面３０，３２間の距離である段差部２８の幅は、堤防部２４の頂面２６の幅よりも小さく設定されている。
【００２０】
エプロン１８は、浴槽１０側と洗い場１２側との間に配置される樹脂パネル部材であり、エプロン本体部３４を備えている。エプロン本体部３４は、浴槽１０の洗い場１２側の少なくとも一部を被覆可能とされ、例えば浴槽１０の水平方向の延在方向に沿って長尺状に延びている。エプロン本体部３４の下端３６は、段差部２８の堤防部２４側に沿っている。具体的には、エプロン本体部３４の下端３６は、段差部２８の洗い場１２側の側面３０に沿っている。換言すれば、図２において、エプロン本体部３４の下端３６は、段差部２８の側面３０に対して、浴槽１０側に向かう水平方向（矢印Ａ方向）に係合し得る構造となっている。
【００２１】
エプロン本体部３４の下端３６から水平方向には、堤防部２４に載置されるエプロン載置部３８が設けられている。エプロン載置部３８は、下端３６から洗い場１２側（矢印Ｂ方向）に延びて終端している。また、エプロン載置部３８は、エプロン本体部３４に沿って長尺状に延びている。水平方向におけるエプロン載置部３８の幅は、堤防部２４の頂面２６の幅以下とされている。なお、エプロン載置部３８の幅を大きくすると、止水部材２０により止水される領域が広がり、止水性能が向上する。
【００２２】
止水部材２０は、エプロン本体部３４の下端３６と堤防部２４との間を止水する部材である。具体的には、止水部材２０は、エプロン載置部３８と、堤防部２４の頂面２６の間に設けられている。止水部材２０としては、公知のシール材を用いることができる。図３に示されるように、エプロン１８を床部１６に載置するときに、止水部材２０は、堤防部２４の頂面２６に予め配置される。
【００２３】
なお、止水部材２０は、結果的にエプロン載置部３８と堤防部２４との間に設けられればよいので、エプロン１８を床部１６に載置するときに、止水部材２０をエプロン載置部３８の下面に貼り付ける等して配置してもよい。また、止水部材２０に加えて、洗い場１２側からコーキング等の止水処理を追加で行ってもよい。
【００２４】
図２，図３において、固定部材２２は、エプロン本体部３４の浴槽１０側に取り付けられると共に段差部２８に載置され、かつ段差部２８の浴槽１０側の端縁に沿う係合部４０を備えている。固定部材２２は、エプロン本体部３４の反りを抑制するための補強部材であると共に、エプロン１８を床部１６に固定するためのブラケットである。
【００２５】
具体的には、固定部材２２には、エプロン本体部３４に沿う縦面部４２を有している。縦面部４２は、ねじ４４を用いてエプロン本体部３４に固定されている。エプロン本体部３４には、ねじ４４を締結するためのボス４６が設けられている。縦面部４２の下端から浴槽１０側には、段差部２８に載置される水平部４８が延びている。水平部４８は、段差部２８に載置された状態で、ねじ５０により該段差部２８に固定される。係合部４０は、水平部４８の浴槽１０側の端部から下方に延びて終端しており、段差部２８の側面３２に対して、洗い場１２側に向かう水平方向（矢印Ｂ方向）に係合し得る構造となっている。
【００２６】
固定部材２２は、エプロン本体部３４の水平方向の延在方向に亘って延在し、エプロン本体部３４よりも高剛性とされている。ここで剛性とは、曲げ剛性である。固定部材２２の材質は、例えばステンレス鋼である。ねじ４４による固定部材２２とエプロン本体部３４との締結箇所、及びねじ５０による固定部材２２と段差部２８との締結箇所は、該エプロン本体部３４の水平方向の延在方向の複数箇所に存在している。
【００２７】
図２に示されるように、固定部材２２が段差部２８に固定された状態において、エプロン本体部３４と段差部２８との間には、間隙５２が形成されている。換言すれば、エプロン本体部３４の下端３６と、固定部材２２の係合部４０との間の内のり寸法は、段差部２８の幅よりも若干大きい。したがって、係合部４０と段差部２８との間に間隙が形成されてもよい。また、エプロン本体部３４と段差部２８との間、及び係合部４０と段差部２８との間にそれぞれ間隙が設けられてもよい。
【００２８】
浴槽１０の上部周縁にはフランジ部５４が設けられており、フランジ部５４の下には、一対のリブ５６，５８が設けられている。エプロン本体部３４の上端には、このリブ５６，５８間に差し込まれる差込み部６０が設けられている。
【００２９】
（作用）
本実施形態は、上記のように構成されており、以下その作用について説明する。図１において、本実施形態に係る浴槽のエプロンと床部の固定構造Ｓ１では、洗い場１２の床部１６に、堤防部２４と、該堤防部２４から更に立ち上げて形成される段差部２８とを備えている。図２に示されるように、エプロン１８の下端３６は段差部２８の堤防部２４側に沿い、固定部材２２の係合部４０が段差部２８の浴槽１０側に沿っている。洗い場１２側と浴槽１０側とを結ぶ方向（矢印Ａ−Ｂ方向）において、エプロン１８の下端３６と固定部材２２の係合部４０とにより段差部２８を挟むことで、エプロン１８が床部１６に固定される。
【００３０】
また、エプロン１８の下端３６と堤防部２４との間に止水部材２０が設けられる。具体的には、エプロン本体部３４の下端３６から水平方向に延在するエプロン載置部３８が堤防部２４に載置され、エプロン載置部３８と堤防部２４の間に止水部材２０が設けられる。これにより止水範囲が増大するので、エプロン１８の下端３６と床部１６との間の止水性が向上する。
【００３１】
また、エプロン載置部３８を設けることにより、エプロン１８の反りを抑制することができる。更に、エプロン本体部３４よりも高剛性の固定部材２２が、エプロン本体部３４の水平方向の延在方向に亘って延在しているので、エプロン１８の反りを更に抑制することができる。固定部材２２を段差部２８に固定することで、エプロン１８が床部１６に固定される。
【００３２】
また、エプロン本体部３４と段差部２８との間、又は係合部４０と段差部２８との間に形成される間隙５２によってエプロン１８の反りが許容されるため、エプロン１８を床部１６に固定することが容易になる。
【００３３】
このように、本実施形態によれば、エプロン１８の下端３６と洗い場１２の床部１６との間の止水性を確保しつつ、エプロン１８を床部１６に固定できる。
【００３４】
［第２実施形態］
図４において、本実施形態に係る浴槽のエプロンと床部の固定構造Ｓ２では、第１実施形態のエプロン載置部３８（図１から図３）が設けられておらず、エプロン本体部３４の下端３６が、段差部２８の側面３０に対向して終端している。エプロン載置部３８（図１から図３）が存在していなくても、エプロン本体部３４の下端３６は、段差部２８の側面３０に対して、浴槽１０側に向かう水平方向（矢印Ａ方向）に係合し得る構造となっている。
【００３５】
止水部材２０は、エプロン本体部３４の下端３６と堤防部２４との間に設けられている。これにより、エプロン１８の下端３６と床部１６との間の止水性が確保される。
【００３６】
他の部分については、第１実施形態と同様であるので、同一の部分には図面に同一の符号を付し、説明を省略する。
【００３７】
［第３実施形態］
図５において、本実施形態に係る浴槽のエプロンと床部の固定構造Ｓ３では、エプロン載置部３８が堤防部２４の頂面２６に直接載置されている。そして、エプロン載置部３８の矢印Ｂ方向（図１の洗い場１２側）の端部と頂面２６との境界が、止水部材２０により止水されている。この止水部材２０は、例えばコーキング剤であり、エプロン載置部３８を堤防部２４の頂面２６に載置した後に塗布される。したがって、エプロン載置部３８の載置前に、止水部材２０を配置しなくてもよい。
【００３８】
他の部分については、第１実施形態と同様であるので、同一の部分には図面に同一の符号を付し、説明を省略する。
【００３９】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００４０】
固定部材２２が、エプロン本体部３４の水平方向の延在方向に亘って延在し、エプロン本体部３４よりも高剛性とされるものとしたが、エプロン１８の面剛性が確保されていれば、固定部材２２は該延在方向において断続的に設けられてもよく、また数か所に設けられてもよい。
【００４１】
エプロン本体部３４と段差部２８との間、又は固定部材２２の係合部４０と段差部２８との間に間隙５２が形成されるものとしたが、エプロン１８の反りのばらつきを考慮する必要がない場合には、該間隙５２が形成されない構成であってもよい。
【符号の説明】
【００４２】
１０…浴槽、１２…洗い場、１４…浴室、１６…床部、１８…エプロン、２０…止水部材、２２…固定部材、２４…堤防部、２６…頂面、２８…段差部、３４…エプロン本体部、３６…下端、３８…エプロン載置部、４０…係合部、５２…間隙、Ｓ１…浴槽のエプロンと床部の固定構造、Ｓ２…浴槽のエプロンと床部の固定構造
【図１】
2018029650.tif 000003
【図２】
2018029650.tif 000004
【図３】
2018029650.tif 000005
【図４】
2018029650.tif 000006
【図５】
2018029650.tif 000007